(57)【要約】      （修正有）【課題】排泄物の重さをより正確に計測することができる動物用トイレを提供する。【解決手段】複数の孔が上容器底部１１に形成された上容器１０と、受け部３１を有するトレイと、本体部２０と、トレイ当接部６１ａとを備える出力本体部６０とを有する動物用トイレ１であって、トレイ当接部６１ａの後端は、受け部３１の後端より前側に位置し、トレイ当接部６１ａには、トレイの下面が接触することによりトレイの重力が作用し、且つ、上容器１０及び本体部２０の重力が作用しておらず、出力本体部６０は、トレイ当接部６１ａに対する荷重に応じて変化する信号を出力する出力部を有し、上容器１０のうち、孔が形成された開孔領域Ｈの後端は、トレイ当接部６１ａの後端と同じ位置、又はトレイ当接部６１ａの後端より前側に設けられている動物用トイレ１である。【選択図】図１２
2020068723.tif 000002
【特許請求の範囲】
【請求項１】
前後方向、左右方向、及び上下方向を備え、
前記上下方向に貫通する複数の孔が上容器底部に形成された上容器と、
前記複数の孔を通過した排泄物を受ける受け部を有するトレイと、
上側に上側開口部を有する本体部と、
トレイ当接部を備える出力本体部と、を有し、
前記上容器が、前記上側開口部に配置された動物用トイレであって、
前記トレイ当接部の後端は、前記受け部の後端より前側に位置し、
前記トレイ当接部には、前記トレイの下面が接触することにより前記トレイの重力が作用し、且つ、前記上容器及び前記本体部の重力が作用しておらず、
前記出力本体部は、前記トレイ当接部に対する荷重に応じて変化する信号を出力する出力部を有し、
前記上容器のうち、前記孔が形成された開孔領域の後端は、前記トレイ当接部の後端と同じ位置、又は前記トレイ当接部の後端より前側に設けられていることを特徴とする動物用トイレ。
【請求項２】
請求項１に記載の動物用トイレであって、
前記トレイを支持する支持部を有する支持容器を有し、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記トレイを、前記内側領域に配置し、且つ、前記前後方向の最も前記前側壁部の側に寄せて配置した状態において、
前記開孔領域の後端から前記トレイ当接部の後端までの第１距離が、
前記左右方向についての中央における、前記内側領域の後端から前記トレイの後端までの第２距離以上であることを特徴とする動物用トイレ。
【請求項３】
請求項１又は２に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器の底面には、下方に突出する支持容器凸部が設けられており、
前記本体部は、下方に向かって凹んだ本体凹部が設けられており、
前記支持容器を前記本体部に差し込んで前記本体凹部に前記支持容器凸部を嵌合することによって、前記前後方向の移動が規制されるように構成されており、
前記開孔領域の後端から前記トレイ当接部の後端までの第１距離が、
前記本体凹部の前記前後方向の長さと前記支持容器凸部の前記前後方向の長さの差である第３距離以上であることを特徴とする動物用トイレ。
【請求項４】
請求項１に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記支持容器の底面には、下方に突出する支持容器凸部が設けられており、
前記本体部は、下方に向かって凹んだ本体凹部が設けられており、
前記開孔領域の後端から前記トレイ当接部の後端までの距離を第１距離とし、
前記トレイを、前記内側領域に配置し、且つ、前記前後方向の最も前記前側壁部の側に寄せて配置した状態において、前記左右方向についての中央における、前記内側領域の後端から前記トレイの後端までの距離を第２距離とし、
前記支持容器を前記本体部に差し込んで前記本体凹部に前記支持容器凸部を嵌合することによって、前記前後方向の移動が規制されるように構成されており、前記本体凹部の前記前後方向の長さと前記支持容器凸部の前記前後方向の長さの差である第３距離としたとき、
前記第１距離は、前記第２距離と前記第３距離の和以上であることを特徴とする動物用トイレ。
【請求項５】
請求項１から４のいずれか１項に記載の動物用トイレであって、
前記上容器のうち、前記開孔領域の前記左右方向の一方側の側端は、前記トレイ当接部の前記一方側の側端と同じ位置、又は前記トレイ当接部の前記一方側の側端より内側に設けられていることを特徴とする動物用トイレ。
【請求項６】
請求項５に記載の動物用トイレであって、
前記トレイを支持する支持部を有する支持容器を有し、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記内側領域の前記前後方向についての中央において、
前記開孔領域の前記一方側の側端から前記トレイ当接部の前記一方側の側端までの第４距離が、
前記内側領域の前記左右方向の長さと、前記トレイの外形の前記左右方向の長さとの差である第５距離以上であることを特徴とする動物用トイレ。
【請求項７】
請求項５又は６に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記本体部は、両側部に、前記支持容器の前記左右方向への動きを制限するための側壁部をそれぞれ備え、
前記側壁部は、前記本体部の内側で、且つ、前記前側開口部の両側部からそれぞれ前記前後方向に沿っており、
前記内側領域の前記前後方向についての中央において、
前記開孔領域の前記一方側の側端から前記トレイ当接部の前記一方側の側端までの第４距離が、
前記内側領域の前記左右方向の長さと、前記一方側の前記側壁部の内側の端から前記左右方向の他方側の前記側壁部の内側の端までの距離との差である第６距離以上であることを特徴とする動物用トイレ。
【請求項８】
請求項５に記載の動物用トイレであって、
前記トレイを支持する支持部を有する支持容器を有し、
前記本体部は、前側に前側開口部を有し、
前記トレイを支持した状態の前記支持容器を、前記前側開口部から前記前後方向に沿って抜き差し可能であり、
前記支持容器は、前側壁部、左側壁部、右側壁部、及び後側壁部を備え、
前記支持部は、前記前側壁部、前記左側壁部、前記右側壁部、及び前記後側壁部によって囲まれた内側領域に配置され、
前記本体部は、両側部に、前記支持容器の前記左右方向への動きを制限するための側壁部をそれぞれ備え、
前記側壁部は、前記本体部の内側で、且つ、前記前側開口部の両側部からそれぞれ前記前後方向に沿っており、
前記内側領域の前記前後方向についての中央において、
前記開孔領域の前記一方側の側端から前記トレイ当接部の前記一方側の側端までの距離を第４距離とし、
前記内側領域の前記左右方向の長さと、前記トレイの外形の前記左右方向の長さとの差を第５距離とし、
前記内側領域の前記左右方向の長さと、前記一方側の前記側壁部の内側の端から前記左右方向の他方側の前記側壁部の内側の端までの距離との差を第６距離としたとき、
前記第４距離は、前記第５距離と前記第６距離との和以上であることを特徴とする動物用トイレ。
【請求項９】
請求項１から８のいずれか１項に記載の動物用トイレであって、
前記トレイを支持する支持部を有する支持容器を有し、
前記上容器は、前記前後方向において、中央部に設けられた平面状の前記上容器底部と、前記上容器底部より後方に設けられ、上方に向かって設けられた上容器壁部と、を備え、
前記受け部は、前記前後方向及び前記左右方向の中央部に設けられており、
前記開孔領域の後端から、前記受け部の後端までの、前記前後方向についての距離は、
前記上容器の下面と前記受け部の上面との距離より長いことを特徴とする動物用トイレ。
【請求項１０】
請求項１から９のいずれか１項に記載の動物用トイレであって、
前記上容器は、前記前後方向において、中央部に設けられた平面状の前記上容器底部と、前記上容器底部より後方に設けられ、上方に向かって設けられた上容器壁部と、を備え、
前記上容器底部は、前記開孔領域と、前記孔が設けられていない非開孔領域とを備え、
前記非開孔領域は、前記開孔領域の後側に設けられていることを特徴とする動物用トイレ。
【請求項１１】
請求項１から１０のいずれか１項に記載の動物用トイレであって、
前記開孔領域の前記前後方向の長さは、前記トレイ当接部の前記前後方向の長さより短く、
前記開孔領域の前記左右方向の長さは、前記トレイ当接部の前記左右方向の長さより長いことを特徴とする動物用トイレ。
【請求項１２】
請求項１から１１のいずれか１項に記載の動物用トイレであって、
前記上容器及び前記本体部の上方に配置されるカバーを有し、
前記カバーは、上側にカバー開口部を有し、
前記前後方向において、
前記カバー開口部の中心は、前記開孔領域の中心より後側であり、
前記開孔領域の前端は、前記トレイ当接部の前端と同じ位置、又は前記トレイ当接部の前端より前側に設けられていることを特徴とする動物用トイレ。
【発明の詳細な説明】
【技術分野】
【０００１】
本発明は、動物用トイレに関する。
【背景技術】
【０００２】
従来、動物用トイレとして、室内で飼育される猫等の動物が使用するものが知られている。また、特許文献１に示すように、動物の排泄物の重量を計測する第１重量計２１を有する動物用トイレ１も知られている。動物用トイレ１の第１重量計２１は、計測台１２や動物の重量がかからない排泄トレイ１３を支持しており、排泄物の有無による排泄トレイ１３の重量の変化を計測することで、排泄物の重量を計測する。
【先行技術文献】
【特許文献】
【０００３】
【特許文献１】国際公開第２０１７−１０４２１６号公報
【発明の概要】
【発明が解決しようとする課題】
【０００４】
特許文献１に記載の動物用トイレ１の第１重量計２１の排泄トレイ１３に接触する面は、メッシュ１２ａが形成された領域よりも小さいため、例えば、動物が動物用トイレ１の後方で排泄をすると、排泄トレイ１３の後方に排泄物が溜まり、排泄トレイ１３が不安定な状態となってしまい、排泄物の重さを正確に測定することができない恐れがある。
【０００５】
本発明は、上記のような問題に鑑みてなされたものであって、その目的とするところは、排泄物の重さをより正確に計測することができる動物用トイレを提供することにある。
【課題を解決するための手段】
【０００６】
上記目的を達成するための主たる発明は、前後方向、左右方向、及び上下方向を備え、前記上下方向に貫通する複数の孔が上容器底部に形成された上容器と、前記複数の孔を通過した排泄物を受ける受け部を有するトレイと、上側に上側開口部を有する本体部と、トレイ当接部を備える出力本体部と、を有し、前記上容器が、前記上側開口部に配置された動物用トイレであって、前記トレイ当接部の後端は、前記受け部の後端より前側に位置し、前記トレイ当接部には、前記トレイの下面が接触することにより前記トレイの重力が作用し、且つ、前記上容器及び前記本体部の重力が作用しておらず、前記出力本体部は、前記トレイ当接部に対する荷重に応じて変化する信号を出力する出力部を有し、前記上容器のうち、前記孔が形成された開孔領域の後端は、前記トレイ当接部の後端と同じ位置、又は前記トレイ当接部の後端より前側に設けられていることを特徴とする動物用トイレである。
本発明の他の特徴については、本明細書及び添付図面の記載により明らかにする。
【発明の効果】
【０００７】
本発明によれば、動物が動物用トイレの後側に向かって排泄をした場合でも、トレイが安定した状態でトレイ当接部に重力が作用する状態となるため、排泄物の重さを正確に計測しやすくなる。
【図面の簡単な説明】
【０００８】
【図１】図１は、本実施形態の動物用トイレ１の概略斜視図である。
【図２】図２は、動物用トイレ１の分解説明図である。
【図３】図３は、動物用トイレ１の構成について説明する図である。
【図４】図４Ａは、上容器１０の概略平面図である。図４Ｂは、上容器１０の概略側面図である。
【図５】図５は、本体部２０の概略平面図である。
【図６】図６は、使用状態の本体部２０、トレイ３０、支持容器４０の配置について説明する図である。
【図７】図７は、トレイ３０を支持容器４０に配置した状態の概略平面図である。
【図８】図８は、支持容器４０の概略平面図である。
【図９】図９は、支持容器４０の底面の概略平面図である。
【図１０】図１０は、使用状態の動物用トイレ１の概略平面図である。
【図１１】図１１は、図１０中のＡ−Ａ矢視で示す断面の模式図である。
【図１２】図１２は、トレイ当接部６１ａ、開孔領域Ｈ、及び受け部３１の配置について説明する図である。
【図１３】図１３は、使用状態、且つ、トレイ３０を前後方向の最も前側壁部４２ａの側に寄せて配置した状態のトレイ３０と支持容器４０について説明する図である。
【図１４】図１４は、図１０中のＢ−Ｂ矢視で示す断面の模式図である。
【図１５】図１５は、他の実施形態の動物用トイレ１００の使用状態の本体部２０、トレイ３０、支持容器４０の配置について説明する図である。
【図１６】図１６は、使用状態の動物用トイレ１００の概略平面図である。
【発明を実施するための形態】
【０００９】
本明細書及び添付図面の記載により、少なくとも以下の事項が明らかとなる。
前後方向、左右方向、及び上下方向を備え、前記上下方向に貫通する複数の孔が上容器底部に形成された上容器と、前記複数の孔を通過した排泄物を受ける受け部を有するトレイと、上側に上側開口部を有する本体部と、トレイ当接部を備える出力本体部と、を有し、前記上容器が、前記上側開口部に配置された動物用トイレであって、前記トレイ当接部の後端は、前記受け部の後端より前側に位置し、前記トレイ当接部には、前記トレイの下面が接触することにより前記トレイの重力が作用し、且つ、前記上容器及び前記本体部の重力が作用しておらず、前記出力本体部は、前記トレイ当接部に対する荷重に応じて変化する信号を出力する出力部を有し、前記上容器のうち、前記孔が形成された開孔領域の後端は、前記トレイ当接部の後端と同じ位置、又は前記トレイ当接部の後端より前側に設けられていることを特徴とする動物用トイレである。
【００１０】
このような動物用トイレによれば、動物が動物用トイレの後側に向かって排泄をした場合でも、トレイが安定した状態でトレイ当接部に重力が作用する状態となるため、排泄物の重さを正確に計測しやすくなる。
【００１１】
かかる動物用トイレであって、前記トレイを支持する支持部を有する支持容器を有し、前記支持容器は、前側壁部、左側壁部、右側壁部、及び後側壁部を備え、前記支持部は、前記前側壁部、前記左側壁部、前記右側壁部、及び前記後側壁部によって囲まれた内側領域に配置され、前記トレイを、前記内側領域に配置し、且つ、前記前後方向の最も前記前側壁部の側に寄せて配置した状態において、前記開孔領域の後端から前記トレイ当接部の後端までの第１距離が、前記左右方向についての中央における、前記内側領域の後端から前記トレイの後端までの第２距離以上であることが望ましい。
【００１２】
このような動物用トイレによれば、トレイを前側壁部の側に寄せた状態で、動物が動物用トイレの後側に向かって排泄をした場合でも、トレイ当接部にトレイの重力を安定した状態で作用させやすくなるため、排泄物の重さを正確に計測しやすくなる。
【００１３】
かかる動物用トイレであって、前記トレイを支持する支持部を有する支持容器を有し、前記本体部は、前側に前側開口部を有し、前記トレイを支持した状態の前記支持容器を、前記前側開口部から前記前後方向に沿って抜き差し可能であり、前記支持容器の底面には、下方に突出する支持容器凸部が設けられており、前記本体部は、下方に向かって凹んだ本体凹部が設けられており、前記支持容器を前記本体部に差し込んで前記本体凹部に前記支持容器凸部を嵌合することによって、前記前後方向の移動が規制されるように構成されており、前記開孔領域の後端から前記トレイ当接部の後端までの第１距離が、前記本体凹部の前記前後方向の長さと前記支持容器凸部の前記前後方向の長さの差である第３距離以上であることが望ましい。
【００１４】
このような動物用トイレによれば、支持容器凸部が本体凹部の最も前側に位置する嵌合状態で、動物が動物用といれの後側に向かって排泄をした場合でも、トレイ当接部にトレイの重力を安定した状態で作用させやすくなるため、排泄物の重さを正確に計測しやすくなる。
【００１５】
かかる動物用トイレであって、前記トレイを支持する支持部を有する支持容器を有し、前記本体部は、前側に前側開口部を有し、前記トレイを支持した状態の前記支持容器を、前記前側開口部から前記前後方向に沿って抜き差し可能であり、前記支持容器は、前側壁部、左側壁部、右側壁部、及び後側壁部を備え、前記支持部は、前記前側壁部、前記左側壁部、前記右側壁部、及び前記後側壁部によって囲まれた内側領域に配置され、前記支持容器の底面には、下方に突出する支持容器凸部が設けられており、前記本体部は、下方に向かって凹んだ本体凹部が設けられており、前記開孔領域の後端から前記トレイ当接部の後端までの距離を第１距離とし、前記トレイを、前記内側領域に配置し、且つ、前記前後方向の最も前記前側壁部の側に寄せて配置した状態において、前記左右方向についての中央における、前記内側領域の後端から前記トレイの後端までの距離を第２距離とし、前記支持容器を前記本体部に差し込んで前記本体凹部に前記支持容器凸部を嵌合することによって、前記前後方向の移動が規制されるように構成されており、前記本体凹部の前記前後方向の長さと前記支持容器凸部の前記前後方向の長さの差である第３距離としたとき、前記第１距離は、前記第２距離と前記第３距離の和以上であることが望ましい。
【００１６】
このような動物用トイレによれば、トレイを前側壁部の側に寄せた状態で、且つ支持容器凸部が本体凹部の最も前側に位置する嵌合状態で、動物が動物用トイレの後側に向かって排泄をした場合でも、トレイ当接部にトレイの重力を安定した状態で作用させやすくなるため、排泄物の重さを正確に計測しやすくなる。
【００１７】
かかる動物用トイレであって、前記上容器のうち、前記開孔領域の前記左右方向の一方側の側端は、前記トレイ当接部の前記一方側の側端と同じ位置、又は前記トレイ当接部の前記一方側の側端より内側に設けられていることが望ましい。
【００１８】
このような動物用トイレによれば、動物が動物用トイレの左右方向のいずれか一方側に向かって排泄をして、トレイの左右方向の一方側に排泄物が多くなった場合でも、トレイが安定した状態でトレイ当接部に重力が作用する状態となるため、排泄物の重さを正確に計測しやすくなる。
【００１９】
かかる動物用トイレであって、前記トレイを支持する支持部を有する支持容器を有し、前記支持容器は、前側壁部、左側壁部、右側壁部、及び後側壁部を備え、前記支持部は、前記前側壁部、前記左側壁部、前記右側壁部、及び前記後側壁部によって囲まれた内側領域に配置され、前記内側領域の前記前後方向についての中央において、前記開孔領域の前記一方側の側端から前記トレイ当接部の前記一方側の側端までの第４距離が、前記内側領域の前記左右方向の長さと、前記トレイの外形の前記左右方向の長さとの差である第５距離以上であることが望ましい。
【００２０】
このような動物用トイレによれば、トレイを左右方向の一方側の壁部の側に寄せた状態で、動物が動物用トイレの左右方向の一方側に向かって排泄をした場合でも、トレイ当接部にトレイの重力を安定した状態で作用させやすくなるため、排泄物の重さを正確に計測しやすくなる。
【００２１】
かかる動物用トイレであって、前記トレイを支持する支持部を有する支持容器を有し、前記本体部は、前側に前側開口部を有し、前記トレイを支持した状態の前記支持容器を、前記前側開口部から前記前後方向に沿って抜き差し可能であり、前記支持容器は、前側壁部、左側壁部、右側壁部、及び後側壁部を備え、前記支持部は、前記前側壁部、前記左側壁部、前記右側壁部、及び前記後側壁部によって囲まれた内側領域に配置され、前記本体部は、両側部に、前記支持容器の前記左右方向への動きを制限するための側壁部をそれぞれ備え、前記側壁部は、前記本体部の内側で、且つ、前記前側開口部の両側部からそれぞれ前記前後方向に沿っており、前記内側領域の前記前後方向についての中央において、前記開孔領域の前記一方側の側端から前記トレイ当接部の前記一方側の側端までの第４距離が、前記内側領域の前記左右方向の長さと、前記一方側の前記側壁部の内側の端から前記左右方向の他方側の前記側壁部の内側の端までの距離との差である第６距離以上であることが望ましい。
【００２２】
このような動物用トイレによれば、支持容器を本体部の左右方向の一方側の側壁部の側に寄せた状態で、動物が動物用トイレの左右方向の一方側に向かって排泄をした場合でも、トレイ当接部にトレイの重力を安定した状態で作用させやすくなるため、排泄物の重さを正確に計測しやすくなる。
【００２３】
かかる動物用トイレであって、前記トレイを支持する支持部を有する支持容器を有し、前記本体部は、前側に前側開口部を有し、前記トレイを支持した状態の前記支持容器を、前記前側開口部から前記前後方向に沿って抜き差し可能であり、前記支持容器は、前側壁部、左側壁部、右側壁部、及び後側壁部を備え、前記支持部は、前記前側壁部、前記左側壁部、前記右側壁部、及び前記後側壁部によって囲まれた内側領域に配置され、前記本体部は、両側部に、前記支持容器の前記左右方向への動きを制限するための側壁部をそれぞれ備え、前記側壁部は、前記本体部の内側で、且つ、前記前側開口部の両側部からそれぞれ前記前後方向に沿っており、前記内側領域の前記前後方向についての中央において、前記開孔領域の前記一方側の側端から前記トレイ当接部の前記一方側の側端までの距離を第４距離とし、前記内側領域の前記左右方向の長さと、前記トレイの外形の前記左右方向の長さとの差を第５距離とし、前記内側領域の前記左右方向の長さと、前記一方側の前記側壁部の内側の端から前記左右方向の他方側の前記側壁部の内側の端までの距離との差を第６距離としたとき、前記第４距離は、前記第５距離と前記第６距離との和以上であることが望ましい。
【００２４】
このような動物用トイレによれば、トレイを左右方向の一方側の壁部の側に寄せた状態で、且つ、支持容器を本体部の左右方向の一方側の側壁部の側に寄せた状態で、動物が動物用トイレの左右方向の一方側に向かって排泄をした場合でも、トレイ当接部にトレイの重力を安定した状態で作用させやすくなるため、排泄物の重さを正確に計測しやすくなる。
【００２５】
かかる動物用トイレであって、前記トレイを支持する支持部を有する支持容器を有し、前記上容器は、前記前後方向において、中央部に設けられた平面状の前記上容器底部と、前記上容器底部より後方に設けられ、上方に向かって設けられた上容器壁部と、を備え、前記受け部は、前記前後方向及び前記左右方向の中央部に設けられており、前記開孔領域の後端から、前記受け部の後端までの、前記前後方向についての距離は、前記上容器の下面と前記受け部の上面との距離より長いことが望ましい。
【００２６】
このような動物用トイレによれば、動物が動物用トイレの後側に向かって排泄した場合でも、受け部より後方に排泄物が漏れてしまう恐れを軽減させることができる。
【００２７】
かかる動物用トイレであって、前記上容器は、前記前後方向において、中央部に設けられた平面状の前記上容器底部と、前記上容器底部より後方に設けられ、上方に向かって設けられた上容器壁部と、を備え、前記上容器底部は、前記開孔領域と、前記孔が設けられていない非開孔領域とを備え、前記非開孔領域は、前記開孔領域の後側に設けられていることが望ましい。
【００２８】
このような動物用トイレによれば、上容器に砂等を配置して使用する場合に、開孔領域が上容器底部に設けられているため、砂等を均しやすくなり、砂等で開孔領域を覆いやすくなる。
【００２９】
かかる動物用トイレであって、前記開孔領域の前記前後方向の長さは、前記トレイ当接部の前記前後方向の長さより短く、前記開孔領域の前記左右方向の長さは、前記トレイ当接部の前記左右方向の長さより長いことが望ましい。
【００３０】
このような動物用トイレによれば、動物が動物用トイレの後側に向かって排泄をした場合でも、トレイが安定した状態でトレイ当接部に重力が作用する状態となるため、排泄物の重さを正確に計測しやすくしつつ、動物用トイレの左右方向の長さについては開孔領域をより広く設けることで、開孔領域の面積をより広くすることができ、排泄物をより早くトレイに移動させやすくなる。
【００３１】
かかる動物用トイレであって、前記上容器及び前記本体部の上方に配置されるカバーを有し、前記カバーは、上側にカバー開口部を有し、前記前後方向において、前記カバー開口部の中心は、前記開孔領域の中心より後側であり、前記開孔領域の前端は、前記トレイ当接部の前端と同じ位置、又は前記トレイ当接部の前端より前側に設けられていることが望ましい。
【００３２】
このような動物用トイレによれば、動物が動物用トイレの後側に向かって排泄をした場合でも、トレイが安定した状態でトレイ当接部に重力が作用する状態となるため、排泄物の重さを正確に計測しやすくしつつ、動物用トイレの前側は開孔領域をより広く設けることで、開孔領域の面積をより広くすることができ、排泄物をより早くトレイに移動させやすくなる。
【００３３】
＝＝＝第１実施形態＝＝＝
本実施形態に係る動物用トイレ１は、例えば室内で飼われる猫等の動物が使用するトイレである。本明細書中における「動物」とは、猫、犬、ウサギ、ハムスター等のいわゆるペットのみならず、トラやライオンの赤ちゃん等も含む。また、動物用トイレ１の「使用者」とは、動物の飼い主や飼育者であり、動物用トイレ１を管理する者をいう。動物用トイレ１は、例えば室内の床等の載置面Ｇ上に設置されて使用される。
【００３４】
＜動物用トイレ１の全体構成＞
図１は、本実施形態の動物用トイレ１の概略斜視図である。図２は、動物用トイレ１の分解説明図である。図３は、動物用トイレ１の構成について説明する図である。なお、以下の説明では、互いに直交する三方向を、前後方向、左右方向、及び上下方向という。図４Ａ等における中心線Ｃ−Ｃは、動物用トイレ１の左右方向の中心を示しており、動物用トイレ１は、中心線Ｃ−Ｃに対して左右対称な形状を有している。
【００３５】
図１、図２及び図３に示すように、動物用トイレ１は、上容器１０、本体部２０、トレイ３０、支持容器４０、カバー５０、及び出力本体部６０と、を備えている。本体部２０の上方から上容器１０が配され、本体部２０及び上容器１０の上方にカバー５０が配されている。トレイ３０は支持容器４０の内側に配され、トレイ３０を収容（支持）した状態の支持容器４０は、本体部２０の前方に引き出し可能に収容されている。また、本体部２０は、出力本体部６０に上方から載置されている。
【００３６】
動物用トイレとして使用する際には、上容器１０の内側の底面に複数の粒状の排泄物処理剤（不図示）を載置し、トレイ３０の受け部３１に吸収性シート（不図示）を配置する。排泄物処理材は、いわゆる猫砂であり、尿などの液体の動物の排泄物を吸収したり、透過させたりする粒状の処理材である。排泄物処理材は、撥水性を有し、多くの液体を吸液部材へ透過させる。仮に、液体を吸収しやすい排泄物処理剤を用いると、排泄物処理剤が多くの尿を吸収してしまって、尿量を正確に計測するのが困難になる。ただし、撥水性の排泄物処理剤であっても、若干量の尿が吸収される場合がある。そのような排泄物を使用する場合には、尿の量を検出する際に、使用する排泄物処理材の種類に応じて補正を行ってもよい。吸収性シートは、排泄物（尿）等の液体を吸収可能なシート部材であり、液透過性の表面シートと、液保持性の中間シートと、液不透過性の裏面シートを積層して接合した矩形状のシート部材を用いることができる。以下、主に動物用トイレ１を使用する使用状態における動物用トイレ１について説明し、図面等においては排泄物処理剤及び吸収性シートは省略して示す。
【００３７】
＜＜上容器１０の構成＞＞
図４Ａは、上容器１０の概略平面図である。図４Ｂは、上容器１０の概略側面図である。上容器１０は、有底無蓋の容器であり、底面に上容器底部１１、上容器湾曲部（上容器壁部）１２を備えている。
【００３８】
上容器底部１１は、平面視が略矩形形状であり、上下方向に貫通する複数の孔ｈが形成された開孔領域Ｈと、孔ｈが設けられていない非開孔領域Ｎを有する。開孔領域Ｈは、上容器底部１１の中央部に設けられており、非開孔領域Ｎは、開孔領域Ｈを囲む周縁部に設けられている。具体的には、上容器底部１１は、平らな面である同じ面に、孔ｈを有する開孔領域Ｈと、開孔領域Ｈの周りに孔ｈを有さない非開孔領域Ｎとを有している。これによって、開孔領域Ｈを排泄物処理剤で覆う場合には、排泄物処理剤を一律に平らな状態にすればよく、仮に、開孔領域Ｈが上容器湾曲部１２まで設けられている場合よりも開孔ｈを覆いやすくなる。特に、排泄後の動物が脚で排泄物処理剤を掻き分けてしまった場合でも、使用者は容易に孔ｈを排泄物処理剤で覆いやすくなり、トレイ３０で受けた排泄物の匂いが孔ｈを通して動物用トイレ１の外に出てしまう恐れを軽減させることができる。開孔領域Ｈは、前後方向の長さがＬｈ、左右方向の長さがＭｈの所定の面積を有した領域であり、最も前側に位置する孔ｈに前側から接する直線と、最も左側に位置する孔ｈに左側から接する直線と、最も後側に位置する孔ｈに後側から接する直線と、最も右側に位置する孔ｈに右側から接する直線と、これらの直線同士が交差する４つの角部において孔ｈに接しながらつなぐ曲線部と、で囲まれた領域をいう。開孔領域Ｈについては、後述する。各孔ｈは、縦長形状であり、動物の排泄物のうち、尿（液体）は通すが、糞便（固体）は通さない大きさである。
【００３９】
上容器湾曲部１２は、上容器底部１１から上方に向かって湾曲した部分であり、上容器１０の外壁を構成する壁部である。上容器湾曲部１２は、上容器底部１１の周縁部の全域から上方へ伸びた領域である。
【００４０】
＜＜本体部２０の構成＞＞
図５は、本体部２０の概略平面図である。図２及び図５に示すように、本体部２０は、底面及び上面を有さない、壁面で囲まれた部材である。上側に上側開口部２１と、下側に下側開口部２２と、前側に前側開口部２３と、内側の両側部に本体側壁部（側壁部）２４、２４と、内側の前側部分に本体凹部２５と、内側の後側部分に本体後壁部２６とを有する。
【００４１】
上側開口部２１及び下側開口部２２は、それぞれ上下方向に貫通した略矩形状の開口部である。上容器１０は上側開口部２１に配置され、本体部２０の上端部で上容器１０を支持する。下側開口部２２は、上側開口部２１より小さく、後述の上側出力部６１よりも広い。本体部２０を出力本体部６０に載置した際には、本体部２０は上側出力部６１より外側で、下側開口部２２の下端部が下側出力部６２に接触する。前側開口部２３は、本体部２０の前側の壁面の下部且つ、左右方向の略全域に亘って設けられた略矩形状の開口部であり、上側開口部２１や下側開口部２２より小さい。本体側壁部２４は、前側開口部２３の両側部からそれぞれ前後方向に沿っており、収容された状態（使用状態）の支持容器４０の左右方向への動きを制限する。本体凹部２５は、内側の前側部分に設けられた下方に向かって凹んだ凹部であり、左右方向に沿っている。本体凹部２５に後述の支持容器４０の支持容器凸部４４を嵌合させることで、支持容器４０の前後方向の動きを制限する。本体後壁部２６は、内側の後側部分の左右方向の中央部に設けられ、前記左右方向に沿っている。挿入された支持容器４０が所定の位置より後方へ移動しないように支持容器４０の前後方向への動きを制限する。
【００４２】
＜＜トレイ３０及び支持容器４０の構成＞＞
図６は、使用状態の本体部２０、トレイ３０、支持容器４０の配置について説明する図である。図６では、便宜上、上容器１０及びカバー５０を省略して示している。図６に示すように、使用状態において、トレイ３０は、支持容器４０の内側に収容され、支持容器４０は、本体部２０の内側に収容されている。図７は、トレイ３０を支持容器４０に配置した状態の概略平面図である。図８は、支持容器４０の概略平面図である。図９は、支持容器４０の底面の概略平面図である。図６〜図８中の中心線Ｘ−Ｘは、内側領域４２Ｕの中心線である。
【００４３】
図２及び図７に示すように、トレイ３０は、中央部に受け部３１と、受け部３１より上側に設けられた被支持部３２とを有する。受け部３１は、四方を壁面で囲まれた平面状の略矩形状であり、孔ｈを通過した排泄物（具体的には、尿）を受ける。受け部３１の前後方向の長さがＬｔ、左右方向の長さがＭｔである。被支持部３２は、受け部３１より外側で受け部３１より上側に設けられ、上面及び下面がそれぞれ平面状の部分である。また、被支持部３２は、トレイ３０を支持容器４０に収容した状態で、支持容器４０を移動させる際に支持部４１によって支持される部分である。なお、使用状態においては、被支持部３２は、支持部４１と離間している。
【００４４】
図２、図７、図８及び図９に示すように、支持容器４０は、支持部４１と、壁部４２と、引き出し部４３と、支持容器凸部４４を有する。壁部４２は、前側壁部４２ａ、左側壁部４２ｂ、右側壁部４２ｃ、後側壁部４２ｄを備え、前側壁部４２ａと左側壁部４２ｂと右側壁部４２ｃと後側壁部４２ｄによって囲まれた領域は内側領域４２Ｕである。支持部４１は、トレイ３０を支持する部材であり、内側領域４２Ｕに設けられている。具体的には、支持部４１は内側領域４２Ｕの周縁部全域に連続して同じ高さに設けられており、前側及び両側の支持部４１は、それぞれ左右方向及び前後方向に沿う一定の幅を持った壁部材であり、後側の支持部４１は、後側壁部４２ｄから前側に向かって延びた平面部材である（図２等参照）。支持容器４０を本体部２０から引き出した状態において、支持部４１の上部にトレイ３０の被支持部３２を載置した状態となり、支持部４１がトレイ３０を支持することで、トレイ３０が支持容器４０内に収容された状態となる。引き出し部４３は、前側壁部４２ａより前側に設けられており、本体部２０から支持容器４０を前側に引き出す際に使用者が掴む部分が設けられている。
【００４５】
支持容器凸部４４は、支持容器４０の底面に２つ設けられている。２つの支持容器凸部４４は、略同じ大きさで、それぞれ略矩形形状で下方に突出している。また、前後方向において同じ位置に配置されている。使用状態では、支持容器凸部４４が本体部２０の本体凹部２５に嵌合しており、支持容器４０の前後方向への移動を制限している。所定の力で引き出すことで、支持容器凸部４４が本体凹部２５との嵌合状態から脱し、支持容器４０を本体部２０の前方に引き出すことができる。
【００４６】
＜＜カバー５０の構成＞＞
図１０は、使用状態の動物用トイレ１の概略平面図である。図１、図２及び図１０に示すように、カバー５０は、上容器１０及び本体部２０の上方に配置されており、上側にカバー開口部５１を有する。カバー５０は、上容器１０の上方の開口の前側部分を覆っている。カバー５０は、動物によって掻かれた排泄物処理剤が動物用トイレ１の外側に出てしまう恐れを軽減させる。動物用トイレ１は、上容器１０の前側部分を覆うことで、動物が後側を向いて排泄をした後に、後脚で排泄物処理剤を掻いた場合の排泄物処理剤が動物用トイレ１の外に出てしまう恐れを軽減させている。
【００４７】
＜＜出力本体部６０の構成＞＞
図２に示すように、出力本体部６０は、上側出力部６１と、上側出力部６１より下側に位置する下側出力部６２とを有する。上側出力部６１と下側出力部６２は、それぞれ平面視において矩形形状を有し、所定の厚みを有する。上側出力部６１は、下側出力部６２の上に載置されている。上側出力部６１は、上面にトレイ３０が当接するトレイ当接部６１ａを有し、上側出力部６１の内部に出力部である上側ロードセル（不図示）を少なくとも１つ以上備える。トレイ当接部６１ａは、上側出力部６１の全面の全域に亘って平面である。下側出力部６２は、出力部である下側ロードセル６３と、制御部（不図示）とを備える。下側ロードセル６３は、下側出力部６２の底面の四隅に設けられ、下方に突出しており、動物用トイレ１の全体を支える脚部でもある。上側ロードセル及び下側ロードセル６３は、それぞれ加えられた力を電気信号に変換して出力する円柱形状の圧縮型のセンサーである。
【００４８】
制御部は、有線又は無線の信号線によって上側ロードセル及び下側ロードセル６３と接続されており、各ロードセルから出力された信号を受信する。制御部は、通信部（不図示）、記憶部（不図示）、処理部（不図示）を有している。通信部は、ロードセルや、スマートフォン、タブレット端末等の端末との間で無線による通信を行う部位である。記憶部は、ＲＡＭ、ＲＯＭなどから構成されており、各種のデータやプログラムを記憶する部位である。例えば、検出した排泄前の重量、排泄物の重量、排泄回数、排泄物処理剤と関連付けられた補正値等を記憶することができる。処理部は、ＣＰＵ等で構成されており、各種の演算を行う部位である。例えば、記憶部に記憶された排泄前の重量と排泄後の重量等の各検出結果から排泄物の重量を算出する等の演算処理を行う。
【００４９】
＜＜動物用トイレ１による排泄物の重量測定の動作＞＞
図１１は、図１０中のＡ−Ａ矢視で示す断面の模式図である。図１１では、上容器１０及びカバー５０を省略して示している。上述の通り、本体部２０から支持容器４０から引き出した状態のトレイ３０は、トレイ３０の被支持部３２が支持容器４０の支持部４１に支持される。一方、使用状態のトレイ３０は、上側出力部６１にトレイ３０の底面が接触し、上側出力部６１によって支持されて、支持容器４０の支持部４１に接触せずに、上側出力部６１の上に載る。上容器１０とカバー５０を備えた状態の本体部２０、支持容器４０、トレイ３０を載せた状態の上側出力部６１は、下側出力部６２の上に載る。これによって、上側出力部６１には、トレイ３０の重力が作用し、上容器１０と本体部２０と支持容器４０とカバー５０の重力が作用しないようにする。つまり、トレイ３０で排泄物を受けた場合、上側出力部６１では、上容器１０、本体部２０、支持容器４０、カバー５０及び動物の重さを検出しないが、トレイ３０と排泄物の重さを上側ロードセルが検出する。なお、吸収性シートはトレイ３０の重さとして荷重され、排泄物処理剤は上容器１０の重さとして荷重される。
【００５０】
具体的に排泄物の重さを測定する方法を説明する。記憶部は、予め動物が動物用トイレに載っていない状態の上側ロードセルが受ける力として検出した重量と下側ロードセル６３が受ける力として検出した重量とを記憶しておく。つまり、トレイ３０と吸収シートの重量を上側ロードセルで検出した結果を初期トレイ重量として、上容器部１０と本体部２０と支持容器４０とカバー５０と排泄物処理剤の重量を下側ロードセルで検出した結果を初期本体重量として予め記憶部で記憶しておく。
【００５１】
猫等の動物が、動物用トイレ１の前側から上容器１０の内側に入ると、上容器１０（本体部２０）の重量の増加に伴い、下側ロードセル６３が受ける力が増加する。このとき、下側ロードセル６３は受けた力に応じた信号を出力する。信号を受信した制御部は、信号として受信した検出結果を排泄前重量として記憶部で記憶するとともに、処理部において、排泄前重量と記憶部に記憶された初期本体重量との差を算出して動物の重量（体重）を得る。
【００５２】
動物が上容器底部１１上で排尿すると、尿は排泄物処理剤間の隙間及び貫通孔ｈを通って、下方のトレイ３０の受け部３１へ落下する。これにより、尿を受けたトレイ３０の重量が増加し、上側ロードセルがトレイ３０から受ける力が増加し、上側ロードセルがトレイ３０から受けた力に応じた信号を出力する。制御部は、信号として受信した検出結果を排泄後トレイ重量として記憶する。処理部において、記憶部に記憶された初期トレイ重量と排泄後トレイ重量との差を算出して動物の排泄物（尿）の重量を得る。
【００５３】
制御部は、得られた排泄物の重量を、通信部を介して使用者の端末に送信し、端末の画面に表示可能となる。制御部は、排泄物の重量に限らず、得られた各種データを送信して表示させてもよい。得られた各種データは、排泄の回数、排泄をした時刻、動物の体重等である。また、各データの累積をグラフや表に示してもよい。
【００５４】
＜＜開孔領域Ｈとトレイ当接部６１ａについて＞＞
図１２は、トレイ当接部６１ａ、開孔領域Ｈ、及び受け部３１の配置について説明する図である。図１２において、便宜上、目視することができないトレイ当接部６１ａ及び受け部３１をそれぞれ実線で示している。図１２に示すように、開孔領域Ｈの前後方向の長さＬｈの長さは、トレイ当接部６１ａの前後方向の長さＬｓより短く（Ｌｈ＜Ｌｓ）、トレイ当接部６１ａの後端は、受け部３１の後端より前側に位置している。また、開孔領域Ｈの左右方向の長さＭｈは、トレイ当接部６１ａの左右方向の長さＭｓより短い（Ｍｈ＜Ｍｓ）。
【００５５】
さらに、動物用トイレ１のトレイ当接部６１ａは、トレイ３０の受け部３１より狭く、トレイ３０の受け部３１の内側に設けられている。言い換えると、トレイ当接部６１ａの前後方向の長さＬｓが、受け部３１の長手方向の長さＬｔより短く、トレイ当接部６１ａの左右方向の長さＭｓが、受け部３１の左右方向の長さＭｔより短い。受け部３１は、排泄物（尿）を受ける領域であり、排泄物がトレイ３０の外側や動物用トイレ１の外側に漏れてしまう恐れを軽減させるために、より広い領域を有することが好ましいからである。また、吸収性シートを配置する領域でもあり、吸収性シートをより広く配置することで、排泄物をより早く吸収させやすくなる。
【００５６】
しかしながら、使用状態の動物用トイレ１のトレイ３０は、トレイ当接部６１ａに載置されることで上側出力部６１によって支持された状態となる。トレイ当接部６１ａが、受け部３１の領域より狭く、受け部３１の底面には、トレイ当接部６１ａと直接的に接していない部分が生じている。一般的に、動物が動物用トイレ１の後側に向かって排泄をすると、トレイ３０の後方に排泄物が溜まりやすくなる。従来、トレイ当接部の後端が、受け部の後端より前側に位置する動物用トイレを用いた場合、トレイのうち、前後方向においてトレイ当接部より後方の領域で落下してくる排泄物を受けると、トレイは不安定な状態となり、受け部のトレイ当接部と上下方向において重なる領域で排泄物を受けた場合より排泄物の測定が不正確になってしまいやすい。受け部のうちの、トレイ当接部と当接していない領域に排泄物が溜まり、不安定な状態が大きくなると、トレイが傾いてしまったり、傾いたトレイが本体部や支持容器に接触したりして、排泄物の重量（排泄物を受けたトレイの重量）を正確に測定できない恐れがあった。
【００５７】
この点、動物用トイレ１のように、開孔領域Ｈの後端を、トレイ当接部６１ａの後端と同じ位置、又はトレイ当接部６１ａの後端より前側に設けることで、上容器１０からトレイ３０に落下する排泄物を、トレイ当接部６１ａの領域内に落下させやすくなる。これによって、トレイ３０の底面をトレイ当接部６１ａに安定した状態で接触させ、安定した状態で排泄物を受けることができるため、排泄物の重量（排泄物を受けたトレイ３０の重量）を正確に測定しやすくなる。
【００５８】
図１３は、使用状態、且つ、トレイ３０を前後方向の最も前側壁部４２ａの側に寄せて配置した状態のトレイ３０と支持容器４０について説明する図である。開孔領域Ｈの後端からトレイ当接部６１ａの後端までの前後方向の距離を第１距離Ｌ１（図１２）とする。また、図１３に示すように、使用状態、且つ、トレイ３０を前後方向の最も前側壁部４２ａの側に寄せて配置した状態は、左右方向の中央（中央線Ｃ−Ｃ）において、トレイ３０の後端と内側領域４２Ｕの後端との間の距離が第２距離Ｌ２となる。図１３の拡大した図に示すように、第２距離Ｌ２は、中心線Ｃ−Ｃにおいて、トレイ３０の後端３０ｅと、内側領域Ｕの後端４２Ｕｅとの間の距離である。このとき、第１距離Ｌ１が第２距離Ｌ２以上であることが好ましい（Ｌ１≧Ｌ２）。言い換えると、使用状態において、トレイ３０を前後方向の最も前側壁部４２ａの側に寄せて配置した状態は、トレイ３０を最も後側壁部４２ｄに寄せた状態よりトレイ３０が前側に第２距離Ｌ２だけ移動した状態となる。そのため、使用状態において、トレイ３０が最も前側に寄せられた状態でも、第１距離Ｌ１を第２距離Ｌ２以上とすることで、上容器１０からトレイ３０に落下する排泄物を、トレイ当接部６１ａと上下方向で重なる領域内で受けやすくなる。その結果、トレイ３０の底面をトレイ当接部６１ａに安定な状態で接触させ、安定した状態で排泄物を受けやすくなり、排泄物の重量をより正確に測定しやすくなる。
【００５９】
また、本体部２０の本体凹部２５の前後方向の長さをＭ２５とし（図５）、支持容器４０の支持容器凸部４４の前後方向の長さをＬ４４（図９）とする。このとき、長さＭ２５と長さＬ４４との差を第３距離Ｌ３（Ｌ３＝Ｍ２５−Ｌ４４）とすると、開孔領域Ｈの後端からトレイ当接部６１ａの後端までの前後方向の距離である第１距離Ｌ１（図１２）が、第３距離Ｌ３以上であることがより好ましい（Ｌ１≧Ｌ３）。使用状態では、支持容器凸部４４が本体凹部２５に嵌合されているが、支持容器凸部４４は本体凹部２５の内側で、第３距離Ｌ３だけ前後方向に動くことができる。支持容器凸部４４が本体凹部２５の最も前側に位置する場合は、支持容器凸部４４が本体凹部２５の最も後側に位置する場合より支持容器４０が第３距離Ｌ３だけ前側に寄っている。つまり、トレイ３０の受け部３１が第３距離Ｌ３だけ前側に寄っている。そのため、第１距離Ｌ１を第３距離Ｌ３以上とすることで、上容器１０からトレイ３０に落下する排泄物を、トレイ当接部６１ａと上下方向で重なる領域内で受けやすくなる。これによって、トレイ３０の底面をトレイ当接部６１ａに安定した状態で接触させ、安定した状態で排泄物を受けやすくなり、排泄物の重量をより正確に測定しやすくなる。
【００６０】
さらに、第１距離Ｌ１が、第２距離Ｌ２と第３距離Ｌ３との和以上であることがより好ましい（Ｌ１≧Ｌ２＋Ｌ３）。トレイ３０を最も前側壁部４２ａに寄せた状態、且つ支持容器４０を最も前側に配置した状態の嵌合状態で、動物が動物用トイレ１の後側に向かって排泄をした場合でも、上容器１０からトレイ３０に落下する排泄物を、トレイ当接部６１ａに上下方向で重なる領域内で落下させやすくなる。これによって、トレイ当接部６１ａにトレイ３０の重力を安定した状態で作用させやすくなり、排泄物の重量をより正確に測定しやすくなる。
【００６１】
図１２に示すように、開孔領域Ｈの左右方向の一方側（例えば、左側）の側端がトレイ当接部６１ａの一方側（左側）の側端と同じ位置であること、又はトレイ当接部６１ａの一方側（左側）の側端より内側に設けられていることが好ましい。このようにすることで、動物が動物用トイレ１の左右方向の一方側に向かって排泄をした場合でも、トレイ３０の底面をトレイ当接部６１ａに安定して接触させた状態で排泄物を受けることができる。そのため、トレイ３０の左右方向の一方側に排泄物が溜まって、トレイ当接部６１ａと当接していない受け部３１の領域に排泄物が溜まってトレイが傾いてしまったり、傾いたトレイ３０が本体部２０や支持容器４０に接触したりする恐れを軽減させることができ、排泄物の重量をより正確に測定しやすくなる。
【００６２】
内側領域４２Ｕの前後方向についての中央（中心線Ｘ−Ｘ）における、開孔領域Ｈの左右方向の一方側（例えば、左側）の側端からトレイ当接部６１ａの一方側（左側）の側端までの長さを第４距離Ｌ４とする。また、内側領域４２Ｕの中央線Ｘ−Ｘにおける、内側領域４２Ｕの左右方向の長さをＭＵ、トレイ３０の外形の左右方向の長さをＭ３０とする。この内側領域４２Ｕの左右方向の長さＭＵとトレイ３０の左右方向の長さＭ３０との差を第５距離Ｌ５とする（Ｌ５＝ＭＵ−Ｍ３０）。このとき、第４距離Ｌ４が第５距離Ｌ５以上であることが好ましい（Ｌ４≧Ｌ５）。トレイ３０は内側領域４２Ｕ内において、第５距離Ｌ５の長さだけ左右方向に移動可能である。トレイ３０を左右方向の一方側の壁部４２（例えば、左側壁部４２ｂ）の側に寄せた状態で、動物が動物用トイレ１の左右方向の一方側に向かって排泄をした場合でも、第４距離Ｌ４を第５距離Ｌ５以上とすることで、上容器１０からトレイ３０に落下する排泄物を、トレイ当接部６１ａと上下方向で重なる領域内で受けやすくなる。これによって、トレイ３０の底面をトレイ当接部６１ａに安定した状態で接触させ、安定した状態で排泄物を受けやすくなり、排泄物の重量をより正確に測定しやすくなる。
【００６３】
また、図６に示すように、中心線Ｘ−Ｘ上において、支持容器４０の左右方向の長さをＭ４０、左右方向の一方側の本体側壁部２４の内側の端から他方側の本体側壁部２４の内側の端までの距離をＭ２０としたとき、長さＭ４０と距離Ｍ２０との差を第６距離Ｌ６（Ｌ６＝Ｍ２０−Ｍ４０）とする。このとき、開孔領域Ｈの左右方向の一方側の側端からトレイ当接部６１ａの一方側の側端までの長さである第４距離Ｌ４が、第６距離Ｌ６以上であることが好ましい（Ｌ４≧Ｌ６）。使用状態において、本体部２０内に収容された支持容器４０は、第６距離Ｌ６だけ左右方向に移動可能である。支持容器４０を左右方向の一方側の本体側壁部２４側に寄せた状態で、動物が動物用トイレ１の左右方向の一方に向かって排泄をした場合でも、第４距離Ｌ４を第６距離以上とすることで、上容器１０からトレイ３０に落下する排泄物を、トレイ当接部６１ａと上下方向で重なる領域内で受けやすくなる。これによって、トレイ３０の底面をトレイ当接部６１ａに安定した状態で接触させ、安定した状態で排泄物を受けやすくなり、排泄物の重量をより正確に測定しやすくなる。
【００６４】
さらに、第４距離Ｌ４が、第５距離Ｌ５と第６距離Ｌ６との和以上であることがより好ましい（Ｌ４≧Ｌ５＋Ｌ６）。トレイ３０を左右方向の一方側の壁部４２に寄せた状態、且つ支持容器４０を左右方向の一方側の側壁部２４に寄せた状態で、動物が動物用トイレ１の左右方向の一方に向かって排泄をした場合でも、上容器１０からトレイ３０に落下する排泄物を、トレイ当接部６１ａと上下方向で重なる領域内で受けやすくなる。これによって、トレイ３０は、トレイ３０の底面をトレイ当接部６１ａに安定した状態で接触させ、安定した状態で排泄物を受けやすくなり、排泄物の重量をより正確に測定しやすくなる。
【００６５】
図１４は、図１０中のＢ−Ｂ矢視で示す断面の模式図である。図１４において、本体部２０等は断面ではない部分を表しているが、便宜上、ハッチングを付して示している。また、開孔領域Ｈについても、断面部分を簡略化して示している。図１４に示すように、開孔領域Ｈの後端から、受け部３１の後端までの前後方向についての距離Ｗが、上容器１０の下面（上容器底部１１の底面）と受け部３１の上面との距離Ｔより長いことが好ましい（Ｗ＞Ｔ）。例えば、動物が動物用トイレ１の後方に向かった状態で排泄をして、入射角θが４５度で排泄物（尿）が前方から開孔領域Ｈの後端部に向かって、上容器１０より下方に落ちた場合、トレイ３０に入った場合、受け部３１は、排泄物の多くを開孔領域Ｈから距離Ｔだけ離れた領域で排泄物を受ける。つまり、距離Ｗを距離Ｔより長くすることで、動物が動物用トイレ１の後方を向いた状態で排泄をした場合でも、受け部３１はより確実に排泄物を受けることができ、トレイ３０より後方に排泄物が漏れてしまう恐れを軽減させることができる。
【００６６】
＝＝＝その他の実施の形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００６７】
上述の実施形態においては、開孔領域Ｈをトレイ当接部６１ａより内側に設けたが、これに限られない。少なくとも開孔領域Ｈの後端を、トレイ当接部６１ａの後端と同じ位置、又はトレイ当接部６１ａの後端より前側に設けることで、動物が動物用トイレ１の後側に向かって排泄をした場合でも、排泄物の重さを正確に計測しやすくすることができるところ、以下のような変更が可能である。
【００６８】
図１５は、他の実施形態の動物用トイレ１００の使用状態の本体部２０、トレイ３０、支持容器４０の配置について説明する図である。図１５に示す動物用トイレ１００は、開孔領域Ｈの後端をトレイ当接部６１ａの後端より前側に設け、左右方向について、開孔領域Ｈの左右方向の一方側の側端がトレイ当接部６１ａの一方側（左側）の側端より内側に設けている。動物用トイレ１００は、動物が動物用トイレ１の後側に向かって排泄をした場合でも、トレイ３０が安定した状態でトレイ当接部６１ａに当接して、上側出力部６１に重力が作用する状態とすることができるため、排泄物の重さを正確に計測しやすくなる。
【００６９】
また、図１６に示すように、カバー５０のカバー開口部５１の前後方向の長さＬｃの中心Ｃｃが、開孔領域Ｈの前後方向の長さＬｈの中心Ｃｈより後側である場合、開孔領域Ｈの前端が、トレイ当接部６１ａの前端と同じ位置であるか、又はトレイ当接部６１ａの前端より前側に設けてもよい。図１６は、使用状態の動物用トイレ１００の概略平面図である。図１６において、便宜上、目視することができないトレイ当接部６１ａを実線で示している。動物用トイレ１の後側については、動物が動物用トイレ１の後側に向かって排泄をして、トレイ３０の後方に排泄物が多くなった場合でも、トレイ３０をトレイ当接部６１ａに載置した状態とさせやすくなり、排泄物の重さを正確に測定しやすくなる。一方、動物用トイレ１の前側については、開孔領域Ｈをより広く設けることで、開孔領域Ｈの全体的な面積をより広くすることができるため、上容器１０で受けた排泄物をより早くトレイ３０に落下させやすくなり、上容器１０に残存する排泄物の匂いが動物用トイレ１の外に出てしまう恐れを軽減させることができる。
【００７０】
上述の実施形態においては、得られた排泄物の重量を、通信部を介して使用者の端末等に表示させることにしたが、これに限られない。例えば、動物用トイレ１に表示部（不図示）を設けて、制御部と表示部との間で無線又は有線による通信を行って、表示部に排泄物の重量を表示させてもよい。
【００７１】
さらに、上述の実施形態では、動物用トイレ１は、トレイ３０を支持容器４０に支持させた状態で抜き差し可能とする構成であったが、これに限られない。例えば、支持容器４０と本体部２０が一体となった構成で、トレイ３０を直接的に本体部２０に抜き差し可能な構成であってもよい。
【００７２】
上述の実施形態においては、上側出力部６１と下側出力部６２とを備えた出力本体部６０としたが、これに限られない。例えば、出力本体部６０が上側出力部６１のみを備え、本体部２０等を直接接地面Ｇに載置する構成としたり、下側出力部６２にはロードセルを設けない単なる土台として、動物の重量を測定せずに排泄物を測定したりする目的のみを実行する出力部であってもよい。
【符号の説明】
【００７３】
１  動物用トイレ、１０  上容器、１１  上容器底部、１２  上容器湾曲部（上容器壁部）、２０  本体部、２１  上側開口部、２２  下側開口部、２３  前側開口部、２４  本体側壁部（側壁部）、２５  本体凹部、２６  本体後壁部、３０  トレイ、３１  受け部、３２  被支持部、４０  支持容器、４１  支持部、４２  壁部、４２ａ  前側壁部、４２ｂ  左側壁部、４２ｃ  右側壁部、４２ｄ  後側壁部、４２Ｕ  内側領域、４３  引き出し部、４４  支持容器凸部、５０  カバー、５１  カバー開口部、６０  出力本体部、６１  上側出力部、６１ａ  トレイ当接部、６２  下側出力部、６３  下側ロードセル、Ｇ  載置面、ｈ  孔、Ｈ  開孔領域、Ｎ  非開孔領域
【図１】
2020068723.tif 000003
【図２】
2020068723.tif 000004
【図３】
2020068723.tif 000005
【図４】
2020068723.tif 000006
【図５】
2020068723.tif 000007
【図６】
2020068723.tif 000008
【図７】
2020068723.tif 000009
【図８】
2020068723.tif 000010
【図９】
2020068723.tif 000011
【図１０】
2020068723.tif 000012
【図１１】
2020068723.tif 000013
【図１２】
2020068723.tif 000014
【図１３】
2020068723.tif 000015
【図１４】
2020068723.tif 000016
【図１５】
2020068723.tif 000017
【図１６】
2020068723.tif 000018